(57)【要約】【課題】照明装置の省エネ運転の実効を図ることができると共に、効果的な陳列室内の照明を実現することができるショーケースを提供する。【解決手段】本発明のショーケース１は、陳列室１１内に商品を陳列してなるものであって、陳列室１１内を照明するＬＥＤ素子４３を有する複数のＬＥＤ照明装置４０、４８と、各ＬＥＤ照明装置４０、４８を制御する制御装置２４とを備え、この制御装置２４は、複数のＬＥＤ照明装置のＬＥＤ素子の点灯と消灯、若しくは、全点灯と調光により照度を減じる減光制御を、各ＬＥＤ照明装置ごとに独立して制御可能とされている。【選択図】図２
2010071622.tif 000002
【特許請求の範囲】
【請求項１】
陳列室内に商品を陳列してなるショーケースにおいて、
前記陳列室内を照明するＬＥＤ素子を有する複数のＬＥＤ照明装置と、
各ＬＥＤ照明装置を制御する制御装置とを備え、
該制御装置は、前記複数のＬＥＤ照明装置の前記ＬＥＤ素子の点灯と消灯、若しくは、全点灯と調光により照度を減じる減光制御を、各ＬＥＤ照明装置ごとに独立して制御可能とされていることを特徴とするショーケース。
【請求項２】
前記制御装置は、前記ＬＥＤ素子を点灯／消灯、若しくは、全点灯／減光する前記ＬＥＤ照明装置を選択するための入力手段を備え、該入力手段への入力操作に基づいて前記ＬＥＤ照明装置を制御することを特徴とする請求項１に記載のショーケース。
【請求項３】
前記制御装置は、前記ＬＥＤ照明装置を制御することにより、所定の警報状態を表示することを特徴とする請求項１に記載のショーケース。
【発明の詳細な説明】
【技術分野】
【０００１】
本発明は、断熱壁内に陳列室を構成し、当該陳列室内にて商品を冷却しながら陳列して成るショーケースであって、特に、陳列室内の照明に関するものである。
【背景技術】
【０００２】
従来よりこの種ショーケースには、例えば特許文献１や図１４に示される如きオープンショーケース１００がある。図１４は従来のオープンショーケース１００の縦断側面図を示している。係るオープンショーケース１００は、断面略コ字状の断熱壁１０１の開口１０２上縁に形成した吐出口１０３から、開口１０２下縁の吸込口１０４に向けて冷気を吐出することにより、前記開口１０２に冷気エアーカーテンを形成する。これにより、断熱壁１０１にて囲繞された陳列室１０５内は所定の温度に冷却される。そして、開口１０２上縁の外側に位置するキャノピー１０７や開口１０２両側縁及び棚１０６前部下面などに複数の蛍光灯１０８を取り付け陳列室１０５内及びショーケース１００自体の照明を行っていた。
【特許文献１】特開平５−１４６３４６号公報
【発明の開示】
【発明が解決しようとする課題】
【０００３】
開店前などにおいて商品陳列のために照明装置を点灯する場合には、消費電力を削減や、陳列室内の熱負荷軽減のため、一般に、部分的に蛍光灯１０８をＯＦＦとする省エネ制御が行われていた。
【０００４】
ここで、従来のオープンショーケース１００では、照明装置として蛍光灯１０８を使用し、当該蛍光灯１０８を陳列室１０５の上前方や陳列室１０５内に架設される棚１０６の下面などに設けられていた。蛍光灯１０８は、一般的に３尺〜４尺程度の長さの蛍光灯が一本単位として設けられる。
【０００５】
そのため、上記省エネ制御を実行する場合には、例えば、陳列室１０５の上前方に設けられる直列に配設される数本の蛍光灯１０８のうちの何れか一本を点灯し、そのほかは消灯、若しくは、照度を減じる減光制御を行っていた。
【０００６】
これにより、一本の蛍光灯１０８により照明可能な範囲は限られており、また、蛍光灯１０８は、一本の長さが規格により３尺〜４尺程度とされているため、他の蛍光灯１０８が点灯していたとしても、消灯している蛍光灯部分の照明範囲は暗くなる範囲が大きくなる。そのため、何れかの蛍光灯が点灯されていても、点灯されている蛍光灯から離れるほど、陳列室内が暗くなることから、商品陳列に支障が生じる問題があった。
【０００７】
また、顧客が少ない深夜営業などにおいて、当該蛍光灯１０８の照明可能範囲よりも狭い範囲のみ商品を陳列する場合には、必要以上に照明することとなる。そのため、必要以上に貯蔵室内に熱負荷が加わることとなって、省エネ運転の実効をはかれないという問題があった。
【０００８】
本発明は、従来の技術的課題を解決するためになされたものであり、照明装置の省エネ運転の実効を図ることができると共に、効果的な陳列室内の照明を実現することができるショーケースを提供する。
【課題を解決するための手段】
【０００９】
本発明のショーケースは、陳列室内に商品を陳列してなるものであって、陳列室内を照明するＬＥＤ素子を有する複数のＬＥＤ照明装置と、各ＬＥＤ照明装置を制御する制御装置とを備え、この制御装置は、複数のＬＥＤ照明装置のＬＥＤ素子の点灯と消灯、若しくは、全点灯と調光により照度を減じる減光制御を、各ＬＥＤ照明装置ごとに独立して制御可能とされていることを特徴とする。
【００１０】
請求項２の発明のショーケースは、上記発明において、制御装置は、ＬＥＤ素子を点灯／消灯、若しくは、全点灯／減光するＬＥＤ照明装置を選択するための入力手段を備え、この入力手段への入力操作に基づいてＬＥＤ照明装置を制御することを特徴とする。
【００１１】
請求項３の発明のショーケースは、上記請求項１の発明において、制御装置は、ＬＥＤ照明装置を制御することにより、所定の警報状態を表示することを特徴とする。
【発明の効果】
【００１２】
本発明によれば、陳列室内に商品を陳列してなるショーケースにおいて、陳列室内を照明するＬＥＤ素子を有する複数のＬＥＤ照明装置と、各ＬＥＤ照明装置を制御する制御装置とを備え、この制御装置は、複数のＬＥＤ照明装置のＬＥＤ素子の点灯と消灯、若しくは、全点灯と調光により照度を減じる減光制御を、各ＬＥＤ照明装置ごとに独立して制御可能とされているので、請求項２の発明の如く、ＬＥＤ素子を点灯／消灯、若しくは、全点灯／減光するＬＥＤ照明装置を選択するための入力手段を設けて、当該入力手段への入力操作に基づいてＬＥＤ照明装置を制御することにより、例えば、開店前における商品の陳列時には最小限の必要箇所のみ点灯、若しくは、全点灯させ、或いは、販売を促進したい商品を陳列している箇所を点灯、若しくは、全点灯させ、その他の箇所は消灯、若しくは、減光するなどして、作業や販売に支障を生じること無く、消費電力を抑えることが可能となる。また、少ない消費電力にて販売効果を向上させることが可能となる。
【００１３】
また、請求項３の発明によれば、上記請求項１の発明において、制御装置は、ＬＥＤ照明装置を制御することにより、所定の警報状態を表示することにより、顧客に分からないように、当該ショーケースにおける機器の警報を行うことが可能となる。
【００１４】
このとき、警報の種類毎に、ＬＥＤ照明装置の照明パターンを予め決めておくことにより、複数の警報状態を表示することが可能となる。
【発明を実施するための最良の形態】
【００１５】
次に、図面を参照して本発明の実施形態について詳述する。図１は本発明を適用したオープンショーケース１の斜視図、図２は図１のオープンショーケース１の縦断側面図をそれぞれ示している。オープンショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００１６】
オープンショーケース１の断熱壁２の内側にはそれぞれ間隔を存して仕切板４及び図示しないもう一枚の仕切板が取り付けられ、これら仕切板４などと断熱壁２間に図示しない内外二層のダクトが形成されている。内側の仕切板を構成する背部仕切板１０の下端前方には、底板９が断熱壁２の底壁２Ａとの間にダクト用の間隔を存して取り付けられており、これら仕切板４及び底板９の内側を陳列室１１としている。
【００１７】
また、この陳列室１１内には、高さ及び取付角度が変更可能であると共に、陳列室１１内背部の図示しない支柱に取り付けられる一対のブラケット３１及びこれらと共に棚を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。
【００１８】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。
【００１９】
一方、底板９下方後部には断熱壁２の底壁２Ａ上に前記内層ダクト及び外層ダクトのそれぞれに対応する図示しない送風機が複数台設置されている。
【００２０】
背部仕切板１０後方の内層ダクト内には冷却装置の冷却器３９が縦設されており、前記内層ダクトに対応した送風機が運転されると冷却器３９と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００２１】
他方、前記外層ダクトに対応した送風機が運転されると外層ダクト内の空気は外層ダクト内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００２２】
一方、断熱壁２の下側前壁２Ｃの上面には、ショーケース１の開口１２下縁の全幅に渡って設けられるハンドレール２０が取り付けられる。この前壁２Ｃの前面には、ハンドレール２０と連続するように前面下パネル２１が取り付けられ、該前面下パネル２１の下方には前面下パネル２１と略面一となるようにバンパー２２が取り付けられる。
【００２３】
次に、図３及び図４を参照して、断熱壁２の天壁２Ｂ前部の構成について説明する。図３は図２の部分拡大断面図、図４は各ＬＥＤ照明装置４０の取付状態を示す図である。
【００２４】
断熱壁２の天壁２Ｂ前端（上部前端）には、前方に張り出したキャノピー３３が取り付けられており、このキャノピー３３の内側には、陳列室１１の前面開口１２より外側に延在した状態で反射板４５が取り付けられる。尚、キャノピー３３の前面には図１に示されるように温度表示部３８が設けられている。
【００２５】
この反射板４５は、化粧塗装が施された金属板にて構成されており、前部には、長手方向に渡って凹陥された照明取付部４１が形成されている。この照明取付部４１は、下後方に位置する陳列室１１の前面開口１２に向けて開口しており、当該照明取付部４１の前後縁は、開口にいくに従い、互いに近接する方向に少許傾斜して形成されている。
【００２６】
そして、この照明取付部４１の当該開口に対向する面は、照明取付面４１Ａとされており、上前方から陳列室１１の前面開口１２を臨む角度、即ち、後斜め下方の陳列室１１方向に面して構成されており、当該照明取付面４１Ａには、複数のＬＥＤ照明装置４０が左右に渡って並設されている。
【００２７】
このＬＥＤ照明装置４０は、複数のＬＥＤ素子４３が配設された基板４２により構成されており、当該基板４２は熱良導性の取付板４４に固定されている。基板４２は長手方向に延在して構成されており、当該基板４２には、所定間隔を存して複数のＬＥＤ素子４３が取り付けられている。本実施例において、ＬＥＤ素子４３は、チップタイプの白色のＬＥＤ素子である。
【００２８】
本実施例において、当該ＬＥＤ照明装置４０は、約１尺程度の長さに構成されている。本実施例におけるオープンショーケースは、前面開口（間口）寸法が４尺〜１２尺程度であるため、キャノピー３３の内側に設けられる反射板４５には、当該前面開口寸法に合わせて当該ＬＥＤ照明装置４０が４個〜１２個（複数個）左右渡って並設される。尚、従来の照明装置は、３尺〜４尺程度の蛍光灯を採用していたため、当該オープンショーケースには、１個〜４個並設されていた。
【００２９】
また、各ＬＥＤ照明装置４０の取付板４４は、照明取付部４１にネジ止めにて固定するためのねじ穴が形成されている。各ＬＥＤ照明装置４０が取り付けられる反射板４５の照明取付面４１Ａには、長手方向に渡って複数の図示しない排気孔が穿設されている。そして、照明取付部４１の照明取付面４１Ａは、ＬＥＤ照明装置４０、排気孔を下側から囲繞するかたちで取り付けられるシェード４６によってカバーされる。
【００３０】
このシェード４６は、透光性を有する無色透明の材料により構成されており、本実施例では、ＬＥＤ照明装置４０（ＬＥＤ素子４３）からの光を陳列室１１の前面開口１２に対して拡散させるため、ＬＥＤ照明装置４０側に面する面が平滑に形成されていると共に、ＬＥＤ照明装置４０とは反対側となるシェード４６の外面は、断面波形若しくはノコギリ刃形状とされている。
【００３１】
これにより、ＬＥＤ素子４３から平行に直進し、シェード４６に入射された光は、断面波形若しくはノコギリ刃形状とされた外面において、多方向に屈折され、広範囲に拡散することが可能となる。
【００３２】
係る構成により、各ＬＥＤ照明装置４０が点灯されると、各シェード４６において拡散された後のそれぞれのＬＥＤ素子４３の照射光により、陳列室１１の外側に位置する上前方から効果的に陳列室１１内全体を照明することが可能となる。
【００３３】
そして、図２に示すように上述した如き陳列室１１内に複数段架設される棚板３２の前端部下面には、当該棚板３２の下方に陳列される商品を照明するための棚下ＬＥＤ照明装置４８が設けられている。当該棚板３２に設けられる棚下ＬＥＤ照明装置４８は、反射板４５に設けられるＬＥＤ照明装置４０と同様に、棚板３２の左右に渡って複数並設されている。尚、当該棚下ＬＥＤ照明装置４８は、ＬＥＤ照明装置４０と略同様の構成であるため、詳細な説明は省略する。
【００３４】
次に、図５の制御装置２４の電気ブロック図を参照して、本実施例におけるショーケースの制御装置２４について説明する。制御装置２４は、タイマ機能を有する汎用のマイクロコンピュータによって構成されており、入力側には、陳列室１１内の温度を検出するための庫内温度センサ２５と、コントロールパネル２６が接続されている。尚、当該コントロールパネル２６には、少なくとも上記各ＬＥＤ照明装置４０、及び各棚下ＬＥＤ照明装置４８を制御するための各種スイッチ、即ち、全ＬＥＤ照明装置４０、４８の全点灯／全消灯を行う全体照明スイッチ２７と、各ＬＥＤ照明装置４０、４８を個別に点灯／消灯、全点灯／減光調整を行う各照明スイッチ２８Ａ〜２８Ｐと、パターン入力スイッチ２９等が設けられている。
【００３５】
そして、制御装置２４の出力側には、上述した如き冷却器３９と所謂冷凍サイクルを構成する圧縮機や送風機などから構成される冷却装置Ｒが接続されていると共に、各ＬＥＤ照明装置４０及び各棚下ＬＥＤ照明装置４８がそれぞれＬＥＤコントロール部５０及び５８を介して接続されている。尚、当該ＬＥＤコントロール部５０、５８はそれぞれ、各ＬＥＤ素子４３に給電を行うＬＥＤ用電源と、各ＬＥＤ素子４３の調光を行う調光コントロール部により構成されている。また、これに加えて、制御装置２４の出力側には、断熱壁２の上部前面に設けられて陳列室１１内の温度や、現在のモードを表示する温度表示部３８が接続されている。
【００３６】
以上の構成により、本実施例におけるオープンショーケース１の照明制御について説明する。ここで、説明する照明制御では、一例として１尺程度の長さのＬＥＤ照明装置４０、４８が４つ並設されている場合について説明する。図６に示すようにキャノピー３３の内側に位置する反射板４５に設けられる各ＬＥＤ照明装置４０は、向かって左から順に４０Ａ、４０Ｂ、４０Ｃ、４０Ｄとする。本実施例では、陳列室１１内には、棚が上下に３段架設されているものとし、最上段の棚板３２に設けられる各棚下ＬＥＤ照明装置４８は、向かって左から順に４８Ｅ、４８Ｆ、４８Ｇ、４８Ｈとする。上から二段目の棚板３２に設けられる各棚下ＬＥＤ照明装置４８は、向かって左から順に４８Ｉ、４８Ｊ、４８Ｋ、４８Ｌとする。最下段の棚板３２に設けられる各棚下ＬＥＤ照明装置４８は、向かって左から順に４８Ｍ、４８Ｎ、４８Ｏ、４８Ｐとする。
（１）通常営業時
まずはじめに、来店客の多い通常営業時における照明制御について説明する。この場合、コントロールパネル２６の全体照明スイッチ２７を操作して、当該ショーケース１における全てのＬＥＤ照明装置４０、４８の全点灯を選択する。これにより、制御装置２４は、各ＬＥＤコントロール部５０、５８により、全てのＬＥＤ照明装置４０Ａ〜４０Ｄ、棚下ＬＥＤ照明装置４８Ｅ〜４８ＰのＬＥＤ素子４３を全点灯させる（図６）。
【００３７】
これにより、ショーケース１の陳列室１１内は、ＬＥＤ照明装置４０Ａ〜４０Ｄによって、陳列室１１上前方から効果的に照明することが可能となると共に、各棚下ＬＥＤ照明装置４８Ｅ〜４８Ｐによって、当該棚下ＬＥＤ照明装置の下方に設けられる棚３２上や底板９上に陳列される商品を効果的に照明することが可能となる。
（２）夜間営業時（全体照明）
次に、図７を参照して来店客の少ない夜間営業時における照明制御について説明する。この場合、コントロールパネル２６のパターン入力スイッチ２９により省エネ照明パターンを選択する。これにより、制御装置２４は、全ての棚下ＬＥＤ照明装置４８Ｅ〜４８ＰのＬＥＤ素子４３を全点灯させると共に、ＬＥＤ照明装置４０は、選択されたもののＬＥＤ素子４３のみを全点灯とする。
【００３８】
即ち、図７に示すように各ＬＥＤ照明装置４０は、一つ置きに全ＬＥＤ素子４３を全点灯又は全消灯とする。本実施例では、ＬＥＤ照明装置４０Ａと、４０Ｃの全ＬＥＤ素子４３を全消灯とし、ＬＥＤ照明装置４０Ｂと、４０Ｄの全ＬＥＤ素子４３を全点灯とする。
【００３９】
このとき、各ＬＥＤ照明装置４０は、前面開口寸法（４尺〜１２尺程度）に対し、比較的短い寸法（約１尺程度）に構成されており、これらを複数キャノピー３３の内側に設けられる反射板４５に並設している。そのため、上述したようにこれらＬＥＤ照明装置４０が一つ置きに全点灯又は全消灯とされた場合であっても、陳列室１１内の一部のみが照明されない状態を作ることなく、陳列室１１全体としての照度は落ちるものの照明することが可能となる。
【００４０】
そのため、このような顧客の少ない夜間等の営業の際に、各ＬＥＤ照明装置４０の制御を行うことで、大幅に消費電力を抑制することが可能となる。
【００４１】
尚、本実施例では、各ＬＥＤ照明装置４０を全点灯と全消灯とを一つ置きに行う照明パターンを採用しているが、これに限定されるものではなく、ＬＥＤコントロール部５０により制御することで、全点灯と、照度を所定照度減じる減光とを一つ置きに行う照明パターンを採用してもよい。これにより、より違和感を感じさせることなく、消費電力の抑制を図ることが可能となる。
【００４２】
また、上記照明パターンでは、連続して各ＬＥＤ照明装置４０を一つ置きに全点灯と全消灯とを行っているが、各全点灯と、全消灯とを所定時間おきに切り替えて実行する照明パターンを採用してもよい。即ち、制御装置２４は、当該照明パターンがパターン入力スイッチ２９により入力されると、はじめ各ＬＥＤ照明装置４０を一つ置きに、具体的には、ＬＥＤ照明装置４０Ａと４０Ｃとを全消灯とし、ＬＥＤ照明装置４０Ｂと４０Ｄとを全点灯とする。所定時間経過後、これらを入れ替えて、ＬＥＤ照明装置４０Ａと４０Ｃとを全点灯とし、ＬＥＤ照明装置４０Ｂと４０Ｄとを全消灯とする。
【００４３】
このとき、制御装置２４は、内蔵されるタイマ機能によって、短時間でこれらの全点灯／全消灯を交互に通電制御することにより、陳列室１１内の照度の均一化を図ることが可能となる。これにより、陳列室１１全体の照明を支障なく、且つ、違和感なく行うことが可能となると共に、消費電力を抑制することができる。
【００４４】
尚、この場合においても上記照明パターンと同様に、全点灯と全消灯の組み合わせのみならず、全点灯と照度を所定照度減じる減光との照明パターンを採用してもよい。
【００４５】
また、本実施例では、各ＬＥＤ照明装置４０は、一つ置きに全点灯と全消灯若しくは照度を所定照度減じる減光とを行っているが、パターン入力スイッチ２９によって、照明パターンを任意に設定でき、例えば、並べられたものの内の２個ずつ全点灯と全消灯／減光を行ってもよい。
（３）営業前省エネ制御
次に、図８を参照して営業前に商品陳列を行う際の照明装置の省エネ制御について説明する。この場合、コントロールパネル２６の全体照明スイッチ２７を操作して、当該ショーケース１における全てのＬＥＤ照明装置４０、４８の全消灯を選択し、その後、ＬＥＤ照明装置４０Ａ〜４０Ｄにそれぞれ対応して設けられる照明スイッチ２８Ａ〜２８Ｄの何れか一つを操作して、当該ＬＥＤ照明装置４０のみを全点灯とする。これにより、制御装置２４は全点灯が入力されたＬＥＤ照明装置４０以外のＬＥＤ照明装置４０及び棚下ＬＥＤ照明装置４８を全消灯とし、当該選択されたＬＥＤ照明装置４０のみを全点灯とする。図８では、ＬＥＤ照明装置４０Ｂのみを全点灯とし、それ以外を全消灯とする。
【００４６】
これにより、商品の陳列時において陳列に必要とされる必要最小限の箇所のみを部分的に照明することが可能となり、作業に支障を生じることなく、消費電力を抑えることが可能となる。また、照明による陳列室１１内への熱負荷を軽減することが可能となり、冷却能力の向上、更には、ショーケース全体の消費電力の低減を図ることが可能となる。
【００４７】
特に、本発明では、各ＬＥＤ照明装置４０は、前面開口寸法（４尺〜１２尺程度）に対し、比較的短い寸法（約１尺程度）に構成されており、これらを複数キャノピー３３の内側に設けられる反射板４５に並設している。そのため、これらＬＥＤ照明装置４０を独立して制御可能とされているため、より部分的な照明のみを実現することが可能となる。尚、当該営業前の特定の時間のみ行う省エネ制御は、予め時刻を制御装置２４に設定することにより、制御装置２４に内蔵されるタイマによって当該時刻となると、係る省エネ制御を実行してもよい。
（４）夜間営業時（棚下照明）
次に、図９を参照して来店客の少ない夜間営業時における棚下照明制御について説明する。来店客の少ない夜間営業時では、来店客数に応じて陳列室１１内に陳列される商品、特に生鮮食品等の商品が減少する。この場合、顧客の商品選択を容易とするため、更には、店舗側の商品管理を容易とするため、図９に示すように、陳列室１１の一側に商品を偏らせて陳列する。
【００４８】
かかる場合には、コントロールパネル２６の各照明スイッチ２８により、商品が陳列している側に対応するＬＥＤ照明装置４０、４８を全点灯とし、商品が陳列されていない側に対応するＬＥＤ照明装置４０、４８を全消灯とする。図９では、陳列室１１の向かって右側に偏った状態で商品が陳列されているため、照明スイッチ２８Ｂ〜２８Ｄ、２８Ｆ〜２８Ｈ、２８Ｊ〜２８Ｌ、２８Ｎ〜２８Ｐを点灯を選択し、照明スイッチ２８Ａ、２８Ｅ、２８Ｉ、２８Ｍを消灯を選択する。
【００４９】
これにより、商品が陳列されている箇所に対応するＬＥＤ照明装置４０Ｂ〜４０Ｄ、棚下ＬＥＤ照明装置４８Ｆ〜４８Ｈ、４８Ｊ〜４８Ｌ、４８Ｎ〜４８ＰのＬＥＤ素子４３が全点灯とされると共に、ＬＥＤ照明装置４０Ａ、棚下ＬＥＤ照明装置４８Ｅ、４８Ｉ、４８ＭのＬＥＤ素子４３が全消灯とされる。
【００５０】
また、これに限らず、陳列室１１内に商品が点在して陳列されている場合には、図１０に示すように、それぞれの棚下ＬＥＤ照明装置４８の下方に商品が陳列されている箇所を照明するように、各照明スイッチ２８をそれぞれ操作することにより、任意に各棚下ＬＥＤ照明装置４８のＬＥＤ素子４３の全点灯／全消灯を行ってもよい。
【００５１】
これにより、夜間営業等の顧客が少ない時間であっても、陳列室１１内に陳列されている商品の状況に応じて、商品が陳列されている箇所には、独立して制御される棚下ＬＥＤ照明装置４８によって照明を行い、商品が陳列されていない箇所は、独立して制御される棚下ＬＥＤ照明装置４８を消灯することができる。従って、適切な商品照明を実現できると共に、照明装置４８の消費電力を抑制することが可能となる。
（５）営業時（棚下照明）
次に、図１１を参照して営業時における棚下照明制御について説明する。陳列室１１内に陳列される商品には、販売促進商品と、通常商品とがある。この場合、販売促進商品を通常商品よりも効果的に顧客の購買意欲を増進させるべく、図１１に示すように、陳列室１１の一側に販売促進商品を偏らせて陳列する場合がある。
【００５２】
かかる場合には、コントロールパネル２６の各照明スイッチ２８により、販売促進商品が陳列している側に対応するＬＥＤ照明装置４０、４８を全点灯とし、通常商品が陳列されている側に対応するＬＥＤ照明装置４０、４８を照度を所定照度減じた減光とする。図１０では、陳列室１１の向かって右側に偏った状態で販売促進商品が陳列されているため、照明スイッチ２８Ｂ〜２８Ｄ、２８Ｆ〜２８Ｈ、２８Ｊ〜２８Ｌ、２８Ｎ〜２８Ｐを点灯を選択し、照明スイッチ２８Ａ、２８Ｅ、２８Ｉ、２８Ｍは調光によって減光を選択する。尚、各照明スイッチによる減光調整は、所定の照度に減光するのみならず、無段階にて減光調整可能なものとしてもよい。
【００５３】
これにより、販売促進商品が陳列されている箇所に対応するＬＥＤ照明装置４０Ｂ〜４０Ｄ、棚下ＬＥＤ照明装置４８Ｆ〜４８Ｈ、４８Ｊ〜４８Ｌ、４８Ｎ〜４８ＰのＬＥＤ素子４３が全点灯とされると共に、ＬＥＤ照明装置４０Ａ、棚下ＬＥＤ照明装置４８Ｅ、４８Ｉ、４８ＭのＬＥＤ素子４３が減光とされる。
【００５４】
また、これに限らず、陳列室１１内に販売促進商品が点在して陳列されている場合には、図１２に示すように、それぞれの棚下ＬＥＤ照明装置４８の下方に販売促進商品が陳列されている箇所をスポット的に照明するように、各照明スイッチ２８をそれぞれ操作することにより、任意に各棚下ＬＥＤ照明装置４８のＬＥＤ素子４３の全点灯／減光を行ってもよい。
【００５５】
これにより、陳列室１１内に陳列されている商品の状況に応じて、販売促進商品が陳列されている箇所には、独立して制御される棚下ＬＥＤ照明装置４８によってより照度の高い照明を行い、通常の商品が陳列されている箇所は、独立して制御される棚下ＬＥＤ照明装置４８を減光することができる。従って、適切な商品照明を実現できると共に、照明装置４８の消費電力を抑制することが可能となる。
【００５６】
このように、それぞれのＬＥＤ素子４３を点灯／消灯、若しくは、全点灯／減光する入力手段としての各照明スイッチ２８Ａ〜２８Ｐによって各ＬＥＤ照明装置４０、４８は、独立して制御可能とされているため、各照明スイッチへの入力操作に基づいて個別に各ＬＥＤ照明装置４０、４８を制御することが可能となる。従って、上述したように、営業前における商品の陳列時には陳列箇所のみ点灯、若しくは、全点灯させ、或いは、販売を促進したい商品を陳列している箇所を点灯、若しくは、全点灯させ、その他の箇所は消灯、若しくは、減光するなどして、作業や販売に支障を生じること無く、消費電力を抑えることが可能となる。また、少ない消費電力にて販売効果を向上させることが可能となる。
（６）警報
次に、図１３を参照して各ＬＥＤ照明装置４０による警報動作について説明する。当該ショーケース１は、フィルタ掃除を促す警報、センサ異常を報知する警報、低温異常を報知する警報、高温異常を報知する警報、冷却機異常を報知する警報、フィルタの交換時期を報知する警報等の各種機器の警報を行う。通常、各警報は、コントロールパネル２６等に設けられる警報ランプなどによって報知されるが、コントロールパネル２６を見なければ、当該報知を認識することができない。
【００５７】
本実施例では、制御装置２４は、上記警報ランプによる警報を行うと共に、各ＬＥＤ照明装置４０による警報動作を実行する。当該警報動作は、全てのＬＥＤ照明装置４０が点灯されていることを前提条件として行われるものであり、制御装置２４には、それぞれの警報内容毎に照明パターンが予め設定されている。
【００５８】
例えば、フィルタ掃除を促す警報であれば、図１３に示すように、ＬＥＤ照明装置４０Ａのみを消灯し、他のＬＥＤ照明装置４０Ｂ〜４０Ｄを点灯する。また、センサ異常を報知する警報であれば、ＬＥＤ照明装置４０Ｂのみを消灯し、他のＬＥＤ照明装置４０Ａ、４０Ｃ、４０Ｄを点灯する。
【００５９】
これにより、前面開口寸法（４尺〜１２尺程度）に対し、比較的短い寸法（約１尺程度）に構成されているＬＥＤ照明装置４０を複数キャノピー３３の内側に設けられる反射板４５に複数並設しているショーケース１において、これらのＬＥＤ照明装置４０の照明パターン（点灯／消灯）によって、所定の警報状態を表示することが可能となる。従って、ショーケース１全体としての照度を大きく低下させることなく、且つ、顧客に分かりづらい態様によって、当該ショーケース１における機器の警報を行うことが可能となる。
【００６０】
従って、以前のようにコントロールパネル２６などに設けられる警報ランプのみによって警報を報知していた場合に比べて、当該ショーケース付近にいる店員が容易に警報を把握することが可能となり、迅速な対応を実現することができる。
【００６１】
尚、上記実施例における制御装置２４への入力手段は、コントロールパネル２６における入力手段に限定されるものではなく、係るショーケース１を通信制御する集中管理システムの管理側制御装置の入力手段によって行ってもよい。
【図面の簡単な説明】
【００６２】
【図１】本発明を適用したオープンショーケースの斜視図である。
【図２】図１のオープンショーケースの縦断側面図である。
【図３】図２の部分拡大断面図である。
【図４】各ＬＥＤ照明装置の取付状態を示す図である。
【図５】制御装置の電気ブロック図である。
【図６】照明パターンを示す図である（通常営業時）。
【図７】照明パターンを示す図である（夜間営業時。全体照明）。
【図８】照明パターンを示す図である（営業前省エネ制御）。
【図９】照明パターンを示す図である（夜間営業時。棚下照明）。
【図１０】照明パターンを示す図である（夜間営業時。棚下照明）。
【図１１】照明パターンを示す図である（通常営業時。棚下照明）。
【図１２】照明パターンを示す図である（通常営業時。棚下照明）。
【図１３】照明パターンを示す図である（警報）。
【図１４】従来のオープンショーケースの縦断側面図である。
【符号の説明】
【００６３】
Ｒ    冷却装置
１    オープンショーケース（ショーケース）
２    断熱壁
２Ｂ  天壁
４    仕切板
５    側板
９    底板
１０  背部仕切板
１１  陳列室
１２  前面開口
２４  制御装置
２６  コントロールパネル
２７  全体照明スイッチ（入力手段）
２８Ａ〜２８Ｐ  照明スイッチ
２９  パターン入力スイッチ
３２  棚板
３３  キャノピー
４０、４０Ａ〜４０Ｄ  ＬＥＤ照明装置
４１  照明取付部
４１Ａ  照明取付面
４２  基板
４３  ＬＥＤ素子
４４  取付板
４５  反射板
４６  シェード
４８、４８Ｅ〜４８Ｐ  棚下ＬＥＤ照明装置
５０、５８  ＬＥＤコントロール部
【図１】
2010071622.tif 000003
【図２】
2010071622.tif 000004
【図３】
2010071622.tif 000005
【図４】
2010071622.tif 000006
【図５】
2010071622.tif 000007
【図６】
2010071622.tif 000008
【図７】
2010071622.tif 000009
【図８】
2010071622.tif 000010
【図９】
2010071622.tif 000011
【図１０】
2010071622.tif 000012
【図１１】
2010071622.tif 000013
【図１２】
2010071622.tif 000014
【図１３】
2010071622.tif 000015
【図１４】
2010071622.tif 000016